(57)【特許請求の範囲】
【請求項１】
複数の加熱手段による加熱動作が重複して実行された場合に、該複数の加熱手段の加熱時間を一のタイマ手段によって制御する加熱調理器であって、
前記複数の加熱手段が加熱動作する各々の加熱時間を設定するための加熱時間設定手段と、
前記複数の加熱時間を記憶するタイマ記憶手段と、
前記複数の加熱時間に関する時間差を示すタイマ差分を各々記憶するタイマ差分記憶手段と、
前記複数の加熱時間の経過をカウントする一のタイマ手段とを備え、
前記複数の加熱時間の一の残時間は、前記一のタイマ手段によりカウントされて求められる一方、前記複数の加熱時間の他の残時間は、前記一のタイマ手段によりカウントされた残時間と前記タイマ差分記憶手段に記憶された各々のタイマ差分とに基づいて求められることを特徴とする加熱調理器。
【請求項２】
前記一のタイマ手段は、前記複数の加熱時間の一を時間の経過に応じて減じることで、その残時間をカウントするものであり、
前記タイマ差分記憶手段は、前記複数の加熱手段の他が加熱動作を開始した時点における、前記一のタイマ手段によりカウントされた残時間を、前記複数の加熱時間の他についてのタイマ差分として各々記憶することを特徴とする請求項１に記載の加熱調理器。
【請求項３】
前記複数の加熱時間の他の残時間は、前記複数のタイマ差分記憶手段に記憶された各々のタイマ差分から前記複数の加熱時間の一の現在の残時間を減じた値を、さらに前記複数の加熱時間の他から各々減じて求められることを特徴とする請求項２に記載の加熱調理器。
【請求項４】
前記複数の加熱時間のいずれかの残時間を表示するタイマ表示手段と、
前記複数の加熱時間のいずれかの残時間を、前記タイマ表示手段に表示させるものとして任意に選択するためのタイマ選択手段とを備えたことを特徴とする請求項１乃至３のいずれかに記載の加熱調理器。
【請求項５】
前記複数の加熱時間のいずれの残時間が、前記タイマ表示手段に表示されているかを示すタイマ種別表示手段を備えたことを特徴とする請求項１乃至４のいずれかに記載の加熱調理器。
【発明の詳細な説明】
【技術分野】
【０００１】
本発明は、複数の調理を並行して行うことができるように複数の加熱手段を備え、各加熱手段の加熱時間をタイマ制御する加熱調理器に関する。
【背景技術】
【０００２】
従来、ガスコンロのような加熱調理器は、ユーザが任意にコンロの加熱時間を設定するためのタイマ時間設定ボタンと、ユーザにより設定された加熱時間をカウントするタイマと、コンロの加熱時間の残時間を表示する表示部とを備えて、タイマの作動中はコンロの加熱動作を実行し、その加熱時間の残時間が０になると加熱動作を停止するタイマ調理機能を実現している。
【０００３】
一方、従来の加熱調理器の中には、複数の調理を並行して行うことができるように、グリルやコンロを複合的に備えたものが知られている。そして、この複合タイプの加熱調理器において、上記のようなタイマ調理機能を実現するために、従来より様々な工夫が施されている。
【０００４】
例えば、グリルを第１所定時間作動させるための第１タイマと、コンロを第２所定時間作動させるための第２タイマとを備えて、第１タイマと第２タイマが共に作動中であるときに、第１タイマの残時間表示と第２タイマの残時間表示のいずれか一方を選択するタイマ表示選択手段により選択されたタイマの残時間を、タイマ残時間表示手段に表示させるようにした加熱調理器が知られている（例えば、特許文献１参照）。
【特許文献１】特許第３５４４４６９号公報
【発明の開示】
【発明が解決しようとする課題】
【０００５】
しかしながら、特許文献１に記載の加熱調理器では、グリルやコンロなどの加熱手段の各々にタイマを設ける必要があり、加熱調理器の製造コストが高くなる問題があった。特に、グリルやコンロなどの加熱手段を多数有するような大型の加熱調理器では、このタイマの増加に伴うコスト負担の増大が問題であった。
【０００６】
本発明は上記課題を解決するためになされたものであり、複数の加熱手段の加熱時間を一のタイマで制御することができ、その製造コストを低減することができる加熱調理器を提供することを目的とする。
【課題を解決するための手段】
【０００７】
上記目的を達成するために、請求項１に係る発明の加熱調理器は、複数の加熱手段による加熱動作が重複して実行された場合に、該複数の加熱手段の加熱時間を一のタイマ手段によって制御する加熱調理器であって、前記複数の加熱手段が加熱動作する各々の加熱時間を設定するための加熱時間設定手段と、前記複数の加熱時間を記憶するタイマ記憶手段と、前記複数の加熱時間に関する時間差を示すタイマ差分を各々記憶するタイマ差分記憶手段と、前記複数の加熱時間の経過をカウントする一のタイマ手段とを備え、前記複数の加熱時間の一の残時間は、前記一のタイマ手段によりカウントされて求められる一方、前記複数の加熱時間の他の残時間は、前記一のタイマ手段によりカウントされた残時間と前記タイマ差分記憶手段に記憶された各々のタイマ差分とに基づいて求められることを特徴とする。
【０００８】
また、請求項２に係る発明の加熱調理器は、請求項１に記載の発明の構成に加え、前記一のタイマ手段は、前記複数の加熱時間の一を時間の経過に応じて減じることで、その残時間をカウントするものであり、前記タイマ差分記憶手段は、前記複数の加熱手段の他が加熱動作を開始した時点における、前記一のタイマ手段によりカウントされた残時間を、前記複数の加熱時間の他についてのタイマ差分として各々記憶することを特徴とする。
【０００９】
また、請求項３に係る発明の加熱調理器は、請求項２に記載の発明の構成に加え、前記複数の加熱時間の他の残時間は、前記複数のタイマ差分記憶手段に記憶された各々のタイマ差分から前記複数の加熱時間の一の現在の残時間を減じた値を、さらに前記複数の加熱時間の他から各々減じて求められることを特徴とする。
【００１０】
また、請求項４に係る発明の加熱調理器は、請求項１乃至３のいずれかに記載の発明の構成に加え、前記複数の加熱時間のいずれかの残時間を表示するタイマ表示手段と、前記複数の加熱時間のいずれかの残時間を、前記タイマ表示手段に表示させるものとして任意に選択するためのタイマ選択手段とを備えたことを特徴とする。
【００１１】
また、請求項５に係る発明の加熱調理器は、請求項１乃至４のいずれかに記載の発明の構成に加え、前記複数の加熱時間のいずれの残時間が、前記タイマ表示手段に表示されているかを示すタイマ種別表示手段を備えたことを特徴とする。
【発明の効果】
【００１２】
請求項１に係る発明の加熱調理器では、複数の加熱手段による加熱動作が重複して実行された場合に、各加熱手段の加熱時間を一のタイマ手段によって制御する加熱調理器であって、複数の加熱時間の一の残時間は、一のタイマ手段によりカウントされて求められる一方、複数の加熱時間の他の残時間は、一のタイマ手段によりカウントされた残時間と各々のタイマ差分とに基づいて求められる。よって、複数の加熱手段の加熱時間を一のタイマで制御することができ、その製造コストを低減することができる。
【００１３】
また、請求項２に係る発明の加熱調理器では、請求項１に記載の発明の効果に加え、複数の加熱時間の一は、時間の経過に応じて減じることで残時間がカウントされ、タイマ差分は、複数の加熱手段の他が加熱動作を開始した時点における、一のタイマ手段によりカウントされた残時間である。よって、複数の加熱時間の一の残時間を、タイマ手段でカウントダウンして求めることができる一方、各々のタイマ差分を、複数の加熱手段における加熱動作開始の時間差によって求めることができる。
【００１４】
また、請求項３に係る発明の加熱調理器では、請求項２に記載の発明の効果に加え、複数の加熱時間の他の残時間は、各々のタイマ差分から複数の加熱時間の一の現在の残時間を減じた値を、さらに複数の加熱時間の他から各々減じて求められる。よって、複数の加熱時間の他の残時間を、複数の加熱時間の他と、複数の加熱時間の一と、各々のタイマ差分とに基づいて求めることができる。
【００１５】
また、請求項４に係る発明の加熱調理器では、請求項１乃至３のいずれかに記載の発明の効果に加え、タイマ選択手段により選択された複数の加熱時間のいずれかの残時間が、タイマ表示手段に表示される。よって、複数の加熱時間の残時間のうちで、タイマ表示手段に表示されるものを、ユーザは任意に選択することができる。
【００１６】
また、請求項５に係る発明の加熱調理器では、請求項１乃至４のいずれかに記載の発明の効果に加え、複数の加熱時間のいずれの残時間がタイマ表示手段に表示されているかを示すタイマ種別表示手段を備えた。よって、複数の加熱時間の残時間のうちで、いずれがタイマ表示手段に表示されているかを、ユーザは容易に把握することができる。
【発明を実施するための最良の形態】
【００１７】
以下、本発明に係る加熱調理器の実施の形態について、家庭用のガステーブル１を例示して説明する。図１は、ガステーブル１の外観図である。図２は、ガステーブル１の概略構成図である。図３は、操作パネル３０の拡大図である。
【００１８】
まず、ガステーブル１の全体構成について説明する。図１に示すように、ガステーブル１は、調理物の加熱手段として、上面に左コンロ２と右コンロ３を備え、内部にグリル４を備えている。そして、ガステーブル１の内部に設けられたコントローラ８０（図２参照）によって、左コンロ２，右コンロ３，グリル４の加熱動作が制御され、左コンロ２，右コンロ３，グリル４は並行して加熱動作が可能である。さらに、本実施の形態では、右コンロ３とグリル４とについては、ユーザにより指定された任意の加熱時間だけ各々を加熱動作させるタイマ調理機能を有している。なお、グリル４への調理物の出し入れは、ガステーブル１の正面に設けられ、調理物が載置されるグリルパン（図示しない）と一体となった開閉扉６を引き出して行われる。また、グリル４で発生する煙は、排気口７から外部に排出される。
【００１９】
そして、ガステーブル１の正面には、左コンロ２の点火消火ボタン８と火力調節レバー９、右コンロ３の点火消火ボタン１０と火力調節レバー１１、及びグリル４の点火消火ボタン１２と火力調節レバー１３が、それぞれ設けられている。なお、点火消火ボタン８，１０，１２は、いずれもハートカムによるプッシュ・プッシュ機構により作動する。さらに、ガステーブル１の正面には、右コンロ３及びグリル４に対してタイマ調理機能に基づく加熱動作の設定や指示を行うための操作パネル３０が設けられている。
【００２０】
次に、ガステーブル１の内部構成について説明する。図２に示すように、ガステーブル１の内部では、左コンロ２にはコンロバーナ５１が配設されており、このコンロバーナ５１へのガス管には、上流側から、コックスイッチ５２、セーフティバルブ５３、キープソレノイドバルブ５４が夫々設けられている。また、コンロバーナ５１の中央には、鍋底温度を検出するサーミスタ５５が、コンロバーナ５１の近傍には、熱電対５６及び点火電極５７が並設されている。一方、右コンロ３に配されるコンロバーナ６１のガス管にも、上流側から、コックスイッチ６２、セーフティバルブ６３が夫々設けられるとともに、コンロバーナ６１の近傍に、熱電対６６及び点火電極６７が並設されている。さらに、グリル４に配されるグリルバーナ７１へのガス管には、上流側から、コックスイッチ７２、セーフティバルブ７３が夫々設けられ、グリルバーナ７１の近傍には、熱電対７６及び点火電極７７が夫々並設されている。
【００２１】
なお、コントローラ８０は、ガステーブル１の動作を制御するコントローラであり、周知のＣＰＵ８１，ＲＯＭ８２，ＲＡＭ８３などにより構成されており、電源２３から常時通電されて電源供給されている。このコントローラ８０には、上記の構成（コックスイッチ，セーフティバルブ，熱電対，点火電極など）が各々接続されており、コントローラ８０によって各々の動作が制御されるようになっている。また、ガステーブル１のユーザに対して音による報知を行うためのブザー４１や、右コンロ３又はグリル４の加熱時間の残時間をカウントするためのタイマ４０や、先述の操作パネル３０が、コントローラ８０に接続されている。さらに、図示しないが、セーフティバルブ５３，６３，７３ごとに設けられるセーフティバルブ駆動回路、キープソレノイドバルブ駆動回路、サーミスタ５５の温度検出回路、熱電対５６，６６，７６ごとに設けられる炎検知回路等も、コントローラ８０に接続されている。
【００２２】
そして、本実施の形態では、コントローラ８０において、ユーザが操作パネル３０から設定した加熱時間を記憶する加熱時間記憶部８３ａと、後述するタイマ差分が記憶されるタイマ差分記憶部８３ｂと、タイマ４０により加熱時間の残時間がカウントされるカウント部８３ｃとが、ＲＡＭ８３の所定記憶エリアに各々設けられている。このような構成により、ガステーブル１では、タイマ４０とＲＡＭ８３の各種記憶エリアとを用いて、右コンロ３とグリル４との一方又は両方の加熱時間のタイマ制御が実行されるが、詳細は後述する。
【００２３】
ここで、操作パネル３０について説明する。図３に示すように、操作パネル３０は、タイマ調理機能を設定するためのボタンやスイッチが設けられている。詳細には、操作パネル３０の中央に、２桁の７セグメントＬＥＤで構成された表示部３１が設けられており、この表示部３１に分単位で右コンロ３又はグリル４の加熱時間（又はその残時間）が表示される。そして、表示部３１に表れる数字を分単位で増加させるプラスボタン３２ａ又は減少させるマイナスボタン３２ｂと、表示部３１に表れている数字がグリル４の加熱時間（又はその残時間）を表示していることを示す発光ダイオードである第１タイマＬＥＤ３３ａ又は右コンロ３の加熱時間（又はその残時間）を表示していることを示す発光ダイオードである第２タイマＬＥＤ３３ｂと、表示部３１における表示をグリル４の加熱時間（又はその残時間）と右コンロ３の加熱時間（又はその残時間と）の間で切り替えるためのタイマ切替えボタン３４と、表示部３１に示された加熱時間に基づいて加熱動作を開始又は停止させる開始停止ボタン３５とを備えている。
【００２４】
具体的には、ユーザがタイマ調理機能を用いてグリル４を加熱動作させる場合、第１タイマＬＥＤ３３ａが点灯している状態で、表示部３１を参照しながらプラスボタン３２ａ又はマイナスボタン３２ｂを押して任意の加熱時間をセットする。なお、第２タイマＬＥＤ３３ｂが点灯している場合は、タイマ切替えボタン３４を押して第１タイマＬＥＤ３３ａを点灯させてから加熱時間のセットを行う。そして、開始停止ボタン３５を押すと、当該加熱時間に基づいてグリル４による加熱動作が開始されて、表示部３１では当該加熱時間がカウントダウンしていき、その残時間が表示される。そして、グリル４の加熱時間の残時間が「０」になると、その加熱動作が終了する。また、第１タイマＬＥＤ３３ａが点灯している状態で、グリル４の加熱動作中に開始停止ボタン３５を押すと、加熱時間のカウントとその加熱動作が停止され、再度開始停止ボタン３５を押すと、加熱時間のカウントとその加熱動作が再開される。
【００２５】
一方、ユーザがタイマ調理機能を用いて右コンロ３を加熱動作させる場合、第２タイマＬＥＤ３３ｂが点灯している状態で、表示部３１を参照しながらプラスボタン３２ａ又はマイナスボタン３２ｂを押して任意の加熱時間をセットする。なお、第１タイマＬＥＤ３３ａが点灯している場合は、タイマ切替えボタン３４を押して第２タイマＬＥＤ３３ｂを点灯させてから加熱時間のセットを行う。そして、開始停止ボタン３５を押すと、当該加熱時間に基づいて右コンロ３による加熱動作が開始されて、表示部３１では当該加熱時間がカウントダウンしていき、その残時間が表示される。そして、右コンロ３の加熱時間の残時間が「０」になると、その加熱動作が終了する。また、第２タイマＬＥＤ３３ｂが点灯している状態で、右コンロ３の加熱動作中に開始停止ボタン３５を押すと、加熱時間のカウントとその加熱動作が停止され、再度開始停止ボタン３５を押すと、加熱時間のカウントとその加熱動作が再開される。
【００２６】
このように、操作パネル３０では、タイマ切替えボタン３４を押下することで、１つの表示部３１において、右コンロ３の加熱時間（又はその残時間）とグリル４の加熱時間（又はその残時間）との表示を切り替えることができる。また、第１タイマＬＥＤ３３ａ及び第２タイマＬＥＤ３３ｂを参照することで、表示部３１に表示された内容が右コンロ３及びグリル４のいずれに関するものかを、ユーザは容易に識別することができる。すなわち、この操作パネル３０では、ボタンやスイッチが少ないシンプルな構成ながらも、右コンロ３及びグリル４のタイマ調理機能に関する各種操作を、ユーザが確実かつ容易に行うことができる。
【００２７】
以下では、ガステーブル１における、タイマ調理機能に基づく加熱動作制御について説明する。図４及び図５は、タイマ調理機能に基づく加熱動作制御のメインフローチャートである。図６は、グリル制御処理（Ｓ２１）の詳細を示すフローチャートである。図７は、コンロ制御処理（Ｓ７１）の詳細を示すフローチャートである。なお、図４〜図７に示す処理は、コントローラ８０のＲＯＭ８２に記憶された制御プログラムに基づいて、ＣＰＵ８１により実行される。また、後述の各種フラグＧＩＮＴ，ＫＩＮＴは、ＲＡＭ８３の所定記憶エリアに記憶されている。
【００２８】
最初に、ガステーブル１における、タイマ調理機能に基づく加熱動作制御のメイン処理について説明する。図４及び図５に示すように、メイン処理では、まず第１タイマＬＥＤ３３ａが点灯されて（Ｓ１）、グリル動作中フラグＧＩＮＴが「１」であるか否かが判定される（Ｓ３）。グリル動作中フラグＧＩＮＴは、グリル４が加熱動作中か否かを示すフラグであり、「１」がＯＮを示し、「０」がＯＦＦを示す。グリル動作中フラグＧＩＮＴが「１」である場合（Ｓ３：ＹＥＳ）、グリル４が加熱動作中であるから、後述のグリル制御処理（図６）のＳ１０９又はＳ１２７に基づいて、表示部３１にグリル４の加熱時間の残時間が表示される（Ｓ２３）。
【００２９】
一方、グリル動作中フラグＧＩＮＴが「０」である場合（Ｓ３：ＮＯ）、グリル４は加熱動作を行っていないから、以下のように、ユーザによるグリル４の加熱時間のセットが可能となる。まず、表示部３１には、グリル４の加熱時間をセットするための変数である第１タイマ加熱時間ｔｍ１が表示される（Ｓ５）。なお、第１タイマ加熱時間ｔｍ１は、ＲＡＭ８３の加熱時間記憶部８３ａに記憶されており、ここではその初期値として「０」が表示される。
【００３０】
そして、プラスボタン３２ａ（＋ＳＷ）が押された場合は（Ｓ７：ＹＥＳ）、第１タイマ加熱時間ｔｍ１が「１０」でなければ（Ｓ９：ＮＯ）、第１タイマ加熱時間ｔｍ１に「１」加算される（Ｓ１１）。なお、第１タイマ加熱時間ｔｍ１が「１０」であれば（Ｓ９：ＹＥＳ）、第１タイマ加熱時間ｔｍ１は加算されないため、ユーザは第１タイマ加熱時間ｔｍ１として「１０」より大きい値をセットすることはできない。一方、マイナスボタン３２ｂ（−ＳＷ）が押された場合は（Ｓ７：ＮＯ，Ｓ１３：ＹＥＳ）、第１タイマ加熱時間ｔｍ１が「０」でなければ（Ｓ１５：ＮＯ）、第１タイマ加熱時間ｔｍ１が「１」減算される（Ｓ１７）。なお、第１タイマ加熱時間ｔｍ１が「０」であれば（Ｓ１５：ＹＥＳ）、第１タイマ加熱時間ｔｍ１は減算されないため、ユーザは第１タイマ加熱時間ｔｍ１として「０」より小さい値をセットすることはできない。なお、加算又は減算後の第１タイマ加熱時間ｔｍ１は、表示部３１に表示される（Ｓ５）。これらの処理が繰り返されることで、ユーザは表示部３１を参照しながら第１タイマ加熱時間ｔｍ１に任意の加熱時間をセットすることができる。
【００３１】
そして、グリル４の点火を指示するために、開始停止ボタン３５が押されると（Ｓ１９：ＹＥＳ）、第１タイマ加熱時間ｔｍ１に基づいてグリル４の加熱動作を制御するグリル制御処理が実行されるが（Ｓ２１）、その詳細は後述する。また、タイマ切替えボタン３４が押されると（Ｓ２５：ＹＥＳ）、表示部３１での表示をグリル４のものから右コンロ３のものに切り替えるために、以下の処理が実行される。すなわち、グリル動作中フラグＧＩＮＴが「０」であれば（Ｓ２７：ＮＯ）、第１タイマＬＥＤ３３ａが消滅される（Ｓ２９）。一方、グリル動作中フラグＧＩＮＴが「１」であれば（Ｓ２７：ＹＥＳ）、第１タイマＬＥＤ３３ａが点滅される（Ｓ３１）。Ｓ３１で第１タイマＬＥＤ３３ａが点滅制御されるのは、表示部３１に右コンロ３の加熱時間（又はその残時間）が表示されても、グリル４が加熱動作中であることをユーザに報知するためである。なお、開始停止ボタン３５及びタイマ切替えボタン３４のいずれも押されなければ（Ｓ１９：ＮＯ，Ｓ２５：ＮＯ）、Ｓ１に戻る。
【００３２】
次に、第１タイマＬＥＤ３３ａが消滅又は点滅されると（Ｓ２９，Ｓ３１）、第２タイマＬＥＤ３３ｂが点灯されて（Ｓ５１）、コンロ動作中フラグＫＩＮＴが「１」であるか否かが判定される（Ｓ５３）。コンロ動作中フラグＫＩＮＴは、右コンロ３が加熱動作中か否かを示すフラグであり、「１」がＯＮを示し、「０」がＯＦＦを示す。コンロ動作中フラグＫＩＮＴが「１」である場合（Ｓ５３：ＹＥＳ）、右コンロ３が加熱動作中であるから、後述のコンロ制御処理（図７）のＳ２０９又はＳ２２７に基づいて、表示部３１に右コンロ３の加熱時間の残時間が表示される（Ｓ７３）。
【００３３】
一方、コンロ動作中フラグＫＩＮＴが「０」である場合（Ｓ５３：ＮＯ）、右コンロ３は加熱動作を行っていないから、以下のように、ユーザによる右コンロ３の加熱時間のセットが可能となる。まず、表示部３１には、右コンロ３の加熱時間をセットするための変数である第２タイマ加熱時間ｔｍ２が表示される（Ｓ５５）。なお、第２タイマ加熱時間ｔｍ２は、ＲＡＭ８３の加熱時間記憶部８３ａに記憶されており、ここではその初期値として「０」が表示される。
【００３４】
そして、プラスボタン３２ａ（＋ＳＷ）が押された場合は（Ｓ５７：ＹＥＳ）、第２タイマ加熱時間ｔｍ２が「１０」でなければ（Ｓ５９：ＮＯ）、第２タイマ加熱時間ｔｍ２に「１」加算される（Ｓ６１）。なお、第１タイマ加熱時間ｔｍ１が「１０」であれば（Ｓ５９：ＹＥＳ）、第２タイマ加熱時間ｔｍ２は加算されないため、ユーザは第２タイマ加熱時間ｔｍ２として「１０」より大きい値をセットすることはできない。一方、マイナスボタン３２ｂ（−ＳＷ）が押された場合は（Ｓ５７：ＮＯ，Ｓ６３：ＹＥＳ）、第２タイマ加熱時間ｔｍ２が「０」でなければ（Ｓ６５：ＮＯ）、第２タイマ加熱時間ｔｍ２が「１」減算される（Ｓ６７）。なお、第２タイマ加熱時間ｔｍ２が「０」であれば（Ｓ６５：ＹＥＳ）、第２タイマ加熱時間ｔｍ２は減算されないため、ユーザは第２タイマ加熱時間ｔｍ２として「０」より小さい値をセットすることはできない。なお、加算又は減算後の第２タイマ加熱時間ｔｍ２は、表示部３１に表示される（Ｓ５５）。これらの処理が繰り返されることで、ユーザは表示部３１を参照しながら第２タイマ加熱時間ｔｍ２に任意の加熱時間をセットすることができる。
【００３５】
そして、右コンロ３の点火を指示するために、開始停止ボタン３５が押されると（Ｓ６９：ＹＥＳ）、第２タイマ加熱時間ｔｍ２に基づいて右コンロ３の加熱動作を制御するコンロ制御処理が実行されるが（Ｓ７１）、その詳細は後述する。また、タイマ切替えボタン３４が押されると（Ｓ７５：ＹＥＳ）、表示部３１での表示を右コンロ３のものからグリル４のものに切り替えるために、以下の処理が実行される。すなわち、コンロ動作中フラグＫＩＮＴが「０」であれば（Ｓ７７：ＮＯ）、第２タイマＬＥＤ３３ｂが消滅される一方（Ｓ７９）、コンロ動作中フラグＫＩＮＴが「１」であれば（Ｓ７７：ＹＥＳ）、第２タイマＬＥＤ３３ｂが点滅される（Ｓ８１）。Ｓ８１で第２タイマＬＥＤ３３ｂが点滅制御されるのは、表示部３１にグリル４の加熱時間（又はその残時間）が表示されても、右コンロ３が加熱動作中であることをユーザに報知するためである。なお、開始停止ボタン３５及びタイマ切替えボタン３４のいずれも押されなければ（Ｓ６９：ＮＯ，Ｓ７５：ＮＯ）、Ｓ５１に戻る。また、第２タイマＬＥＤ３３ｂが消滅又は点滅されると（Ｓ７９，Ｓ８１）、Ｓ１に戻り、上記の処理が繰り返し実行される。
【００３６】
このように、メイン処理（図４）では、グリル４の加熱時間（又はその残時間）と右コンロ３の加熱時間（又はその残時間）とが、タイマ切替えボタン３４の操作に応じて表示部３１で切り替わるように表示制御され、ユーザはこの表示部３１を参照しながら、任意の加熱時間をセットしたり、加熱動作の実行開始を指示したりすることができる。
【００３７】
次に、グリル制御処理（Ｓ２１）について説明する。図６に示すように、グリル制御処理（Ｓ２１）では、まずコンロ動作中フラグＫＩＮＴが「１」であるか否かが判定される（Ｓ１０１）。コンロ動作中フラグＫＩＮＴが「０」である場合（Ｓ１０１：ＮＯ）、右コンロ３は加熱動作を行っていないから、タイマ値ＴＭに第１タイマ加熱時間ｔｍ１の値がセットされる（Ｓ１０３）。タイマ値ＴＭは、ＲＡＭ８３のカウント部８３ｃに記憶される変数であり、後述のコンロ制御処理（図７）でも共通に使用される。以下の処理では、このタイマ値ＴＭがタイマ４０のカウントに応じて減算されて、グリル４の加熱時間が経過したか否かが判定される。
【００３８】
そして、グリル４が点火されて加熱動作が実行されると、グリル動作中フラグＧＩＮＴに「１」がセットされ（Ｓ１０５）、カウント部８３ｃに記憶されたタイマ値ＴＭが「１」減算されて（Ｓ１０７）、減算後のタイマ値ＴＭが、グリル４の加熱時間の残時間として表示部３１に表示される（Ｓ１０９）。ここで、タイマ値ＴＭが「０」である場合は（Ｓ１１１：ＹＥＳ）、グリル４の加熱時間（第１タイマ加熱時間ｔｍ１）が経過したことを示す。よって、ブザー４１からの所定の報知音などによりグリル４の消火が報知されて（Ｓ１１３）、グリル４が消火されて加熱動作が終了されると、グリル動作中フラグＧＩＮＴに「０」がセットされ（Ｓ１１５）、メイン処理（図４）に戻る。なお、タイマ値ＴＭが「０」でない場合（Ｓ１１１：ＮＯ）、グリル４の加熱時間（第１タイマ加熱時間ｔｍ１）が経過していないから、タイマ値ＴＭが「０」となるまでタイマ値ＴＭのカウントダウン（Ｓ１０７）とタイマ値ＴＭの表示（Ｓ１０９）が繰り返し実行される。
【００３９】
一方、コンロ動作中フラグＫＩＮＴが「１」である場合（Ｓ１０１：ＹＥＳ）、右コンロ３は加熱動作を行っているため、後述のコンロ制御処理（図７）で既にタイマ値ＴＭのカウントダウンが行われている。そこで、まず現在のタイマ値ＴＭがタイマ差分ｄｉｆにセットされる（Ｓ１２１）。タイマ差分ｄｉｆは、ＲＡＭ８３のタイマ差分記憶部８３ｂに記憶される変数であり、後述のコンロ制御処理（図７）でも共通に使用される。以下の処理では、このタイマ差分ｄｉｆに基づいてグリル４の加熱時間が経過したか否かが判定される。
【００４０】
そして、グリル４が点火されて加熱動作が実行されると、グリル動作中フラグＧＩＮＴに「１」がセットされ（Ｓ１２３）、カウント部８３ｃに記憶されたタイマ値ＴＭが「１」減算されて（Ｓ１２５）、タイマ差分ｄｉｆからタイマ値ＴＭを減算した値を、さらに第１タイマ加熱時間ｔｍ１から減算した値（ｔｍ１−（ｄｉｆ−ＴＭ））が、グリル４の加熱時間の残時間として表示部３１に表示される（Ｓ１２７）。ここで、Ｓ１２７で求められた値（ｔｍ１−（ｄｉｆ−ＴＭ））が「０」である場合は（Ｓ１２９：ＹＥＳ）、グリル４の加熱時間（第１タイマ加熱時間ｔｍ１）が経過したことを示す。よって、先述と同様に、ブザー４１による消火報知（Ｓ１１３）とグリル４の消火処理（Ｓ１１５）が実行される。
【００４１】
一方、Ｓ１２７で求められた値（ｔｍ１−（ｄｉｆ−ＴＭ））が「０」でなく（Ｓ１２９：ＮＯ）、かつ、タイマ値ＴＭが「０」である場合は（Ｓ１３３：ＹＥＳ）、グリル４の加熱時間（第１タイマ加熱時間ｔｍ１）が経過する前に、右コンロ３の加熱時間（第２タイマ加熱時間ｔｍ２）が経過したことを示す。そこで、第１タイマ加熱時間ｔｍ１からタイマ差分ｄｉｆを減算した値（ｔｍ１−ｄｉｆ）がタイマ値ＴＭにセットされ（Ｓ１３７）、このリセットされたタイマ値ＴＭについて、先述と同様に、タイマ値ＴＭのカウントダウンとタイマ値ＴＭの表示が実行され、タイマ値ＴＭが「０」となればグリル４の消火報知と消火処理が実行される（Ｓ１０７〜Ｓ１１５）。
【００４２】
なお、タイマ値ＴＭが「０」でない場合は（Ｓ１３３：ＮＯ）、グリル４の加熱時間（第１タイマ加熱時間ｔｍ１）及び右コンロ３の加熱時間（第２タイマ加熱時間ｔｍ２）のいずれも経過していないから、Ｓ１２７で求められた値（ｔｍ１−（ｄｉｆ−ＴＭ））が「０」となるか、又はタイマ値ＴＭが「０」となるまで、タイマ値ＴＭのカウントダウン（Ｓ１２５）と残時間（ｔｍ１−（ｄｉｆ−ＴＭ））の表示（Ｓ１２７）が繰り返し実行される。
【００４３】
このように、グリル制御処理（図６）では、ユーザにより設定されたグリル４の加熱時間（第１タイマ加熱時間ｔｍ１）に基づいて、グリル４の加熱動作をタイマ制御することができ、特に、右コンロ３の加熱動作と並行してグリル４の加熱動作を行う場合であっても、タイマ４０が１つしか設けられていなくても、タイマ差分ｄｉｆを用いて適切にグリル４の加熱動作をタイマ制御することができる。
【００４４】
次に、コンロ制御処理（Ｓ７１）について説明する。図７に示すように、コンロ制御処理（Ｓ７１）では、まずグリル動作中フラグＧＩＮＴが「１」であるか否かが判定される（Ｓ２０１）。グリル動作中フラグＧＩＮＴが「０」である場合（Ｓ２０１：ＮＯ）、グリル４は加熱動作を行っていないから、タイマ値ＴＭに第２タイマ加熱時間ｔｍ２の値がセットされる（Ｓ２０３）。以下の処理では、このタイマ値ＴＭがタイマ４０のカウントに応じて減算されて、右コンロ３の加熱時間が経過したか否かが判定される。
【００４５】
そして、右コンロ３が点火されて加熱動作が実行されると、コンロ動作中フラグＫＩＮＴに「１」がセットされ（Ｓ２０５）、カウント部８３ｃに記憶されたタイマ値ＴＭが「１」減算されて（Ｓ２０７）、減算後のタイマ値ＴＭが、右コンロ３の加熱時間の残時間として表示部３１に表示される（Ｓ２０９）。ここで、タイマ値ＴＭが「０」である場合は（Ｓ２１１：ＹＥＳ）、右コンロ３の加熱時間（第２タイマ加熱時間ｔｍ２）が経過したことを示す。よって、ブザー４１からの所定の報知音などにより右コンロ３の消火が報知されて（Ｓ２１３）、右コンロ３が消火されて加熱動作が終了されると、コンロ動作中フラグＫＩＮＴに「０」がセットされ（Ｓ２１５）、メイン処理（図５）に戻る。なお、タイマ値ＴＭが「０」でない場合（Ｓ２１１：ＮＯ）、右コンロ３の加熱時間（第２タイマ加熱時間ｔｍ２）が経過していないから、タイマ値ＴＭが「０」となるまでタイマ値ＴＭのカウントダウン（Ｓ２０７）とタイマ値ＴＭの表示（Ｓ２０９）が繰り返し実行される。
【００４６】
一方、グリル動作中フラグＧＩＮＴが「１」である場合（Ｓ２０１：ＹＥＳ）、グリル４は加熱動作を行っているため、先述のグリル制御処理（図６）で既にタイマ値ＴＭのカウントダウンが行われている。そこで、まず現在のタイマ値ＴＭがタイマ差分ｄｉｆにセットされる（Ｓ２２１）。以下の処理では、このタイマ差分ｄｉｆに基づいて右コンロ３の加熱時間が経過したか否かが判定される。
【００４７】
そして、右コンロ３が点火されて加熱動作が実行されると、コンロ動作中フラグＫＩＮＴに「１」がセットされ（Ｓ２２３）、カウント部８３ｃに記憶されたタイマ値ＴＭが「１」減算されて（Ｓ２２５）、タイマ差分ｄｉｆからタイマ値ＴＭを減算した値を、さらに第２タイマ加熱時間ｔｍ２から減算した値（ｔｍ２−（ｄｉｆ−ＴＭ））が、右コンロ３の加熱時間の残時間として表示部３１に表示される（Ｓ２２７）。ここで、Ｓ２２７で求められた値（ｔｍ２−（ｄｉｆ−ＴＭ））が「０」である場合は（Ｓ２２９：ＹＥＳ）、右コンロ３の加熱時間（第２タイマ加熱時間ｔｍ２）が経過したことを示す。よって、先述と同様に、ブザー４１による消火報知（Ｓ２１３）と右コンロ３の消火処理（Ｓ２１５）が実行される。
【００４８】
一方、Ｓ２２７で求められた値（ｔｍ２−（ｄｉｆ−ＴＭ））が「０」でなく（Ｓ２２９：ＮＯ）、かつ、タイマ値ＴＭが「０」である場合は（Ｓ２３３：ＹＥＳ）、右コンロ３の加熱時間（第２タイマ加熱時間ｔｍ２）が経過する前に、グリル４の加熱時間（第１タイマ加熱時間ｔｍ１）が経過したことを示す。そこで、第２タイマ加熱時間ｔｍ２からタイマ差分ｄｉｆを減算した値（ｔｍ２−ｄｉｆ）がタイマ値ＴＭにセットされ（Ｓ２３７）、このリセットされたタイマ値ＴＭについて、先述と同様に、タイマ値ＴＭのカウントダウンとタイマ値ＴＭの表示が実行され、タイマ値ＴＭが「０」となれば右コンロ３の消火報知と消火処理が実行される（Ｓ２０７〜Ｓ２１５）。
【００４９】
なお、タイマ値ＴＭが「０」でない場合は（Ｓ２３３：ＮＯ）、右コンロ３の加熱時間（第２タイマ加熱時間ｔｍ２）及びグリル４の加熱時間（第１タイマ加熱時間ｔｍ１）のいずれも経過していないから、Ｓ２２７で求められた値（ｔｍ２−（ｄｉｆ−ＴＭ））が「０」となるか、又はタイマ値ＴＭが「０」となるまで、タイマ値ＴＭのカウントダウン（Ｓ２２５）と残時間（ｔｍ２−（ｄｉｆ−ＴＭ））の表示（Ｓ２２７）が繰り返し実行される。
【００５０】
このように、コンロ制御処理（図７）では、ユーザにより設定された右コンロ３の加熱時間（第２タイマ加熱時間ｔｍ２）に基づいて、右コンロ３の加熱動作をタイマ制御することができ、特に、グリル４の加熱動作と並行して右コンロ３の加熱動作を行う場合であっても、タイマ４０が１つしか設けられていなくても、タイマ差分ｄｉｆを用いて適切に右コンロ３の加熱動作をタイマ制御することができる。
【００５１】
ここで、上記のガステーブル１におけるタイマ調理機能に基づく加熱動作制御を、具体的に例示して説明する。図８及び図９は、ＲＡＭ８３の各記憶エリアにおける、時間の経過に応じた状態遷移図である。
【００５２】
まず、図８に示す具体例は、グリル４の加熱動作と右コンロ３の加熱動作が並行して実行される場合であって、グリル４が右コンロ３よりも先に加熱動作を開始し、かつ、グリル４が右コンロ３よりも後に加熱動作を終了する場合を例示する。
【００５３】
まず、ユーザが操作パネル３０を操作して、グリル４の加熱時間として「１０分」を設定すると、加熱時間記憶部８３ａの第１タイマ加熱時間ｔｍ１に「１０」がセットされ（図４のＳ５〜Ｓ１７）、ユーザがグリル４の点火を指示すると、グリル制御処理が開始される（図４のＳ１９〜Ｓ２１）。そして、カウント部８３ｃのタイマ値ＴＭに第１タイマ加熱時間ｔｍ１である「１０」がセットされて、グリル４の点火とタイマ値ＴＭのカウントダウンが実行される（図６のＳ１０１：ＮＯ〜Ｓ１１１）。なお、ユーザの選択に応じて、表示部３１にはグリル４の加熱時間の残時間としてタイマ値ＴＭの値が表示される（図４のＳ２３，図６のＳ１０９）。
【００５４】
そして、グリル４の加熱動作開始から３分後に、ユーザが操作パネル３０を操作して、右コンロ３の加熱時間として「５分」を設定すると、加熱時間記憶部８３ａの第２タイマ加熱時間ｔｍ２に「５」がセットされ（図５のＳ５５〜Ｓ６７）、ユーザが右コンロ３の点火を指示すると、コンロ制御処理が開始される（図５のＳ６９〜Ｓ７１）。そして、カウント部８３ｃのタイマ差分ｄｉｆに現在のタイマ値ＴＭである「７」がセットされて、右コンロ３の点火とタイマ値ＴＭのカウントダウンが実行される（図７のＳ２０１：ＹＥＳ〜Ｓ２３３）。なお、ユーザの選択に応じて、表示部３１には右コンロ３の加熱時間の残時間として（ｔｍ２−（ｄｉｆ−ＴＭ））の値が表示される（図５のＳ７３，図７のＳ２２７）。
【００５５】
ところで、グリル制御処理でのタイマカウント（図６のＳ１０７）と、コンロ制御処理でのタイマカウント（図７のＳ２２５）とは、タイマ４０のカウントに応じてカウント部８３ｃにセットされたタイマ値ＴＭが減算される共通の処理である。すなわち、グリル制御処理（図６）でのタイマ制御と、コンロ制御処理（図７）でのタイマ制御とは、１つのタイマ４０に基づいて実行されている。
【００５６】
そして、グリル４の加熱動作開始から８分後に、右コンロ３の加熱動作の残時間（ｔｍ２−（ｄｉｆ−ＴＭ））が「（５−（７−２））＝０」となるため（図７のＳ２２９：ＹＥＳ）、ブザー４１による消火報知と右コンロ３の消火処理が実行される（図７の２１３〜Ｓ２１５）。
【００５７】
さらに、グリル４の加熱動作開始から１０分後に、グリル４の加熱動作の残時間（タイマ値ＴＭ）が「０」となるため（図６のＳ１１１：ＹＥＳ）、ブザー４１による消火報知とグリル４の消火処理が実行される（図６の１１３〜Ｓ１１５）。
【００５８】
次に、図９に示す具体例は、グリル４の加熱動作と右コンロ３の加熱動作が並行して実行される場合であって、右コンロ３がグリル４よりも先に加熱動作を開始し、かつ、右コンロ３がグリル４よりも先に加熱動作を終了する場合を例示する。
【００５９】
まず、ユーザが操作パネル３０を操作して、右コンロ３の加熱時間として「５分」を設定すると、加熱時間記憶部８３ａの第２タイマ加熱時間ｔｍ２に「５」がセットされ（図５のＳ５５〜Ｓ６７）、ユーザが右コンロ３の点火を指示すると、コンロ制御処理が開始される（図５のＳ６９〜Ｓ７１）。そして、カウント部８３ｃのタイマ値ＴＭに第２タイマ加熱時間ｔｍ２に「５」がセットされて、右コンロ３の点火とタイマ値ＴＭのカウントダウンが実行される（図７のＳ２０１：ＮＯ〜Ｓ２１１）。なお、ユーザの選択に応じて、表示部３１には右コンロ３の加熱時間の残時間としてタイマ値ＴＭの値が表示される（図５のＳ７３，図７のＳ２０９）。
【００６０】
そして、右コンロ３の加熱動作開始から３分後に、ユーザが操作パネル３０を操作して、グリル４の加熱時間として「１０分」を設定すると、加熱時間記憶部８３ａの第１タイマ加熱時間ｔｍ１に「１０」がセットされ（図４のＳ５〜Ｓ１７）、ユーザがグリル４の点火を指示すると、グリル制御処理が開始される（図４のＳ１９〜Ｓ２１）。そして、タイマ差分記憶部８３ｂのタイマ差分ｄｉｆに現在のタイマ値ＴＭである「２」がセットされて、グリル４の点火とタイマ値ＴＭのカウントダウンが実行される（図６のＳ１０１：ＹＥＳ〜Ｓ１３３）。なお、ユーザの選択に応じて、表示部３１にはグリル４の加熱時間の残時間として（ｔｍ１−（ｄｉｆ−ＴＭ））の値が表示される（図４のＳ２３，図６のＳ１２７）。
【００６１】
ところで、グリル制御処理でのタイマカウント（図６のＳ１２５）と、コンロ制御処理でのタイマカウント（図７のＳ２０７）とは、タイマ４０のカウントに応じてカウント部８３ｃにセットされたタイマ値ＴＭが減算される共通の処理である。すなわち、グリル制御処理（図６）でのタイマ制御と、コンロ制御処理（図７）でのタイマ制御とは、１つのタイマ４０に基づいて実行されている。
【００６２】
そして、右コンロ３の加熱動作開始から５分後に、右コンロ３の加熱動作の残時間（タイマ値ＴＭ）が「０」となるため（図７のＳ２１１：ＹＥＳ）、ブザー４１による消火報知と右コンロ３の消火処理が実行される（図７の２１３〜Ｓ２１５）。そして、タイマ値ＴＭに（ｔｍ１−ｄｉｆ）の値として「１０−２＝８」がセットされ（図６のＳ１３３：ＹＥＳ〜Ｓ１３７）、このリセットされたタイマ値ＴＭ「８」について、先述と同様に、タイマ値ＴＭのカウントダウンとタイマ値ＴＭの表示が実行される（図６のＳ１０７〜Ｓ１１１）。
【００６３】
そして、右コンロ３の加熱動作開始から１３分後に、グリル４の加熱動作の残時間（タイマ値ＴＭ）が「０」となるため（図６のＳ１１１：ＹＥＳ）、ブザー４１による消火報知とグリル４の消火処理が実行される（図６の１１３〜Ｓ１１５）。
【００６４】
このように、本実施の形態に係るガステーブル１では、グリル４の加熱動作のタイマ制御と、右コンロ３の加熱動作のタイマ制御とが、その加熱動作の開始時期の前後や終了時期の前後を問わず、１つのタイマ４０に基づいて適切に実行できることを例示した。なお、図８及び図９において、右コンロ３とグリル４とを置き換えても同様に処理できることは言うまでもない。
【００６５】
以上、本実施の形態に係るガステーブル１によれば、グリル４の加熱動作と右コンロ３の加熱動作とが重複して実行された場合に、一方の加熱時間の残時間は、タイマ４０によりカウントされる値（タイマ値ＴＭ）により求められる一方、他方の加熱時間の残時間は、タイマ値ＴＭとタイマ差分ｄｉｆとに基づく値（第１タイマ加熱時間ｔｍ１−（タイマ差分ｄｉｆ−タイマ値ＴＭ）又は第２タイマ加熱時間ｔｍ２−（タイマ差分ｄｉｆ−タイマ値ＴＭ））により求められる。すなわち、グリル４と右コンロ３のうちで、一方の加熱時間の残時間のみが、タイマ４０のカウントにより求められ、他方の加熱時間の残時間は、タイマ差分ｄｉｆに基づいて求められるようにした。よって、グリル４の加熱時間と右コンロ３の加熱時間とを一のタイマ４０で制御することができ、その製造コストを低減することができる。
【００６６】
また、グリル４の加熱時間（又はその残時間）と右コンロ３の加熱時間（又はその残時間）のうち、タイマ切替えボタン３４により選択されたものが表示部３１に表示されるので、ユーザはタイマ切替えボタン３４を操作することで表示部３１の表示内容を任意に切り替えることができる。
【００６７】
また、グリル４の加熱時間（又はその残時間）と右コンロ３の加熱時間（又はその残時間）のうち、いずれが表示部３１に表示されているかを示す第１タイマＬＥＤ３３ａ及び第２タイマＬＥＤ３３ｂを備えたので、この第１タイマＬＥＤ３３ａ及び第２タイマＬＥＤ３３ｂを参照することで、ユーザは表示部３１の表示内容がグリル４と右コンロ３のいずれに関するものかを容易に把握することができる。
【００６８】
ところで、上記実施の形態において、グリル４及び右コンロ３が本発明の「複数の加熱手段」に相当し、第１タイマ加熱時間ｔｍ１及び第２タイマ加熱時間ｔｍ２が本発明の「複数の加熱時間」に相当し、タイマ４０が本発明の「一のタイマ手段」に相当する。また、操作パネル３０において、プラスボタン３２ａ及びマイナスボタン３２ｂが本発明の「加熱時間設定手段」に相当し、表示部３１が本発明の「タイマ表示手段」に相当し、タイマ切替えボタン３４が本発明の「タイマ選択手段」に相当し、第１タイマＬＥＤ３３ａ及び第２タイマＬＥＤ３３ｂが本発明の「タイマ種別表示手段」に相当する。また、ＲＡＭ８３において、加熱時間記憶部８３ａが本発明の「タイマ記憶手段」に相当し、タイマ差分記憶部８３ｂが本発明の「タイマ差分記憶手段」に相当する。
【００６９】
なお、本発明は、以上詳述した実施の形態に限定されるものではなく、本発明の要旨を逸脱しない範囲において、各種の変形が可能なことはいうまでもない。
【００７０】
例えば、上記実施の形態では、「複数の加熱手段」としてグリル４及び右コンロ３の２つの加熱手段を例示して、各々の加熱動作を「一のタイマ手段」で制御できることを説明した。しかし、「複数の加熱手段」として３つ以上の加熱手段を用いて（例えば、左コンロ２，右コンロ３，グリル４）、各々の加熱動作を「一のタイマ手段」で制御するようにしてもよい。この場合であっても、その基本的な処理は上記のもの（図４〜図７）と同様であるが、「タイマ差分」を複数設ける必要がある。
【００７１】
具体的には、グリル４の加熱動作が最初に実行され、その実行中に左コンロ２及び右コンロ３の加熱動作がそれぞれ実行されるような場合、左コンロ２についてのタイマ差分ｄｉｆ１と、右コンロ３についてのタイマ差分ｄｉｆ２との両方に、グリル４の加熱時間の残時間（タイマ値ＴＭ）をそれぞれセットする。そして、上記実施形態と同様に、グリル４の加熱時間の残時間が、タイマ値ＴＭによって求められる一方、左コンロ２の加熱時間の残時間が、タイマ値ＴＭとタイマ差分ｄｉｆ１とに基づく値（第１タイマ加熱時間ｔｍ１−（タイマ差分ｄｉｆ１−タイマ値ＴＭ））により求められ、右コンロ３の加熱時間の残時間が、タイマ値ＴＭとタイマ差分ｄｉｆ２とに基づく値（第１タイマ加熱時間ｔｍ１−（タイマ差分ｄｉｆ２−タイマ値ＴＭ））により求められるようにすればよい。
【００７２】
また、上記実施の形態では、タイマ差分ｄｉｆとして、グリル４及び右コンロ３の加熱動作開始の時間差を設定し、グリル４及び右コンロ３の一方の加熱時間の残時間をタイマ４０のカウントにより求める一方、他方の加熱時間の残時間はタイマ差分ｄｉｆに基づいて求める場合を例示した。しかし、「複数の加熱手段の加熱時間」を、「一のタイマ手段」と「タイマ差分」とによって制御することができれば、その処理（図４〜図７）の詳細やタイマ差分ｄｉｆのデータ内容は、上記実施の形態のものに限定されない。例えば、グリル４及び右コンロ３の各加熱時間が終了する時間差をタイマ差分ｄｉｆにセットし、一方の加熱時間の残時間をタイマ４０のカウントにより求める一方、他方の加熱時間の残時間はタイマ差分ｄｉｆに基づいて求めるようにしてもよい。
【００７３】
また、上記実施の形態では、家庭用に用いられるガステーブル１を例示したが、業務用に用いられる場合も同様に用いることができる。また、「複数の加熱手段」として、グリルやコンロ以外の加熱手段を用いることができるのは言うまでもない。
【産業上の利用可能性】
【００７４】
本発明の加熱調理器は、複数の加熱手段を備えた、家庭用又は業務用の加熱調理器に適用可能である。
【図面の簡単な説明】
【００７５】
【図１】ガステーブル１の外観図である。
【図２】ガステーブル１の概略構成図である。
【図３】操作パネル３０の拡大図である。
【図４】タイマ調理機能に基づく加熱動作制御のメインフローチャートである。
【図５】タイマ調理機能に基づく加熱動作制御のメインフローチャートである。
【図６】グリル制御処理（Ｓ２１）の詳細を示すフローチャートである。
【図７】コンロ制御処理（Ｓ７１）の詳細を示すフローチャートである。
【図８】ＲＡＭ８３の各記憶エリアにおける、時間の経過に応じた状態遷移図である。
【図９】ＲＡＭ８３の各記憶エリアにおける、時間の経過に応じた状態遷移図である。
【符号の説明】
【００７６】
１    ガステーブル
２    左コンロ
３    右コンロ
４    グリル
３０    操作パネル
３１    表示部
３２ａ    プラスボタン
３２ｂ    マイナスボタン
３３ａ    第１タイマＬＥＤ
３３ｂ    第２タイマＬＥＤ
３４    タイマ切替えボタン
３５    開始停止ボタン
４０    タイマ
４１    ブザー
８０    コントローラ
８１    ＣＰＵ
８２    ＲＯＭ
８３    ＲＡＭ
８３ａ    加熱時間記憶部
８３ｂ    タイマ差分記憶部
８３ｃ    カウント部
【図１】
0004617466.tif 000002
【図２】
0004617466.tif 000003
【図３】
0004617466.tif 000004
【図４】
0004617466.tif 000005
【図５】
0004617466.tif 000006
【図６】
0004617466.tif 000007
【図７】
0004617466.tif 000008
【図８】
0004617466.tif 000009
【図９】
0004617466.tif 000010